(57)【特許請求の範囲】
【請求項１】
裏面に端子ボックスを備え、このボックスに取出しケーブルが接続されている太陽電池モジュールと、
屋根に傾斜して敷設される瓦本体であって、前記太陽電池モジュールを収納する凹陥部、この凹陥部の底部に設けられ前記端子ボックスを収納する端子ボックス収納凹部、この収納凹部の前記屋根の棟側寄りの側壁に開口して設けられて前記出力取出しケーブルを前記棟側に導出するケーブル導出部を有する前記瓦本体と、
を具備することを特徴とする太陽電池モジュール用瓦。
【請求項２】
前記瓦本体の軒側縁部に、前記凹陥部と連通して前記軒側縁部を横切って、前記軒側縁部の上面に開放する溝又は前記軒側縁部を貫通する孔からなる排水部を設けたことを特徴とする請求項１に記載の太陽電池モジュール用瓦。
【請求項３】
前記凹陥部の底面に、前記端子ボックス収納凹部を囲むように連続する排水溝と、この排水溝に連続して前記凹陥部の下辺に沿う他の排水溝とを夫々設けるとともに、前記他の排水溝に前記瓦本体の裏面に貫通する排水孔を設けたことを特徴とする請求項１に記載の太陽電池モジュール用瓦。
【発明の詳細な説明】
【０００１】
【発明の属する技術分野】
この発明は、建物の屋根材として用いられる瓦に太陽電池モジュールを搭載した太陽電池モジュール用瓦に関する。
【０００２】
【従来の技術】
建物の屋根材として用いられる瓦に太陽電池を搭載し、太陽エネルギーを電気に変換して利用する技術は、実開平１−１４８４１７号公報及び特開平１０−７２９１０号公報等で知られている。
【０００３】
実開平１−１４８４１７号公報には、平板瓦の下部表面に太陽電池を設け、この太陽電池のケーブルを平板瓦の上縁両端裏面の空間部が形成される部分から導出する構成が記載されている。
【０００４】
特開平１０−７２９１０号公報には、平板瓦の表面に太陽電池を設けるとともに、平板瓦の裏面に端子箱を設け、この端子箱から配線部材を導出した構成が記載されている。
【０００５】
前述したように、従来の太陽電池搭載型瓦は、瓦本体の表面に太陽電池を搭載し、瓦本体の裏面から太陽電池のケーブルを導出したり、瓦本体の裏面に端子箱を設け、太陽電池のケーブルを端子箱の内部の端子に接続したのち、この端子箱からケーブルを導出している。そして、各太陽電池から導出されたケーブルを瓦本体の下部において接続することにより、多数枚の太陽電池を直列または並列に電気的に接続している。
【０００６】
又、他の従来の太陽電池搭載型瓦として以下のものが提案されている。瓦本体の表面に太陽電池が搭載され、瓦本体にその裏側に突出する端子箱収納凹部が設けられている。端子箱収納凹部には太陽電池の裏面に取付けられた端子箱が収納され、端子箱に接続された出力取出し用のケーブルは、端子箱収納凹部の底壁に開けられたケーブル導出孔から導出されている。
【０００７】
【発明が解決しようとする課題】
太陽電池搭載型瓦での防水は、太陽電池を瓦本体に接着剤によって接着したり、瓦本体に設けられた凹陥部の底面に太陽電池を接着剤を介して接着し、さらに太陽電池と凹陥部の内周面との間の隙間にコーキング材を充填することにより行われている。
【０００８】
しかし、接着剤やコーキング材は劣化しやすい。殊に屋根のように太陽光に晒されて高温度となったり、風雨に晒される環境下では、劣化の進行が早い。そのため、接着剤やコーキング材に亀裂が生じて、雨水等が瓦本体と太陽電池との間に浸入するおそれがある。
【０００９】
太陽電池の裏側に浸入した雨水は端子箱収納凹部に流れ込む場合がある。ところで、太陽電池搭載型瓦は、通常は屋根の傾斜した野地板上に敷設されるため、浸入した雨水が端子箱収納凹部の底部に貯留しても、貯留した雨水は屋根の傾斜によって凹陥部上面から排水される。その一方で、凹部底壁に開けられたケーブル導出孔からも排水される。そのため、特に、屋根の傾斜が緩勾配の場合には、端子箱収納凹部内に浸入した雨水に端子箱とケーブルとの接続部が晒され易く、それに伴い、前記接続部での腐食や短絡事故を招くおそれがある。
【００１０】
又、ケーブルを端子箱収納凹部の底壁を貫通して導出する構成においては、端子箱収納凹部の間近に接近して野地板が設けられているため、野地板方向に導出されたケーブルは、その導出方向に対し略直角をなすように急激に曲げられて野地板に沿うように配線される。そのため、ケーブルがケーブル導出孔の縁に強く押付けられて、その絶縁被覆が傷つけられるおそれが高い。特に、瓦本体がセメントで作られる場合には、ケーブル導出孔の孔縁はバリが出ているので、絶縁被覆がより一層傷つけられ易い。
【００１１】
この発明は、前記事情に着目してなされたもので、その目的とするところは、雨水の浸入による電気的短絡事故等を防止できるとともに、出力取出し用ケーブルが傷付けられることも少ない太陽電池モジュール用瓦を提供することにある。
【００１２】
【課題を解決するための手段】
請求項１の発明は、裏面に端子ボックスを備え、このボックスに取出しケーブルが接続されている太陽電池モジュールと、屋根に傾斜して敷設される瓦本体であって、前記太陽電池モジュールを収納する凹陥部、この凹陥部の底部に設けられ前記端子ボックスを収納する端子ボックス収納凹部、この収納凹部の前記屋根の棟側寄りの側壁に開口して設けられて前記出力取出しケーブルを前記棟側に導出するケーブル導出部を有する前記瓦本体と、を具備することを特徴とする。
【００１３】
この発明及び以下の各発明において、瓦本体は、合成樹脂材料、セメント等の無機材料、金属材料、或はこれらの複合材により形成されるとともに、出力取出しケーブルには絶縁被覆電線が使用される。同様に、この発明及び以下の各発明において、太陽電池モジュールには、透明ガラス板や透明合成樹脂等の透明絶縁材料からなる基板の裏面に、透明電極層、光電変換をなす半導体層、裏面電極層を薄膜製造技術により順次積層形成し、更に裏面に絶縁及び防水や機械的保護のための封止材層を被着したものを使用する。前記半導体層には、アモルファス半導体層を好適に用いることができるが、これに限定されることはなく、単結晶、多結晶、微結晶の半導体層であってもよく、更にはＳｉ系でも化合物系でもよい。又、タンデム型の太陽電池モジュールを用いることもできる。
【００１８】
この発明において、出力取出しケーブルは、２芯ケーブルとして作られることがないように互いに独立した単芯ケーブルとしての正極側及び負極側の出力取出しケーブルであってもよく、或は単芯ケーブルとしての正極側及び負極側のケーブルを合わせて１本の２芯ケーブルをなしていてもよい。
【００１９】
この請求項１の発明においては、端子ボックスに接続された出力取出しケーブルを、瓦本体の端子ボックス収納凹部の棟側寄りの側壁に開口して設けたケーブル導出部から棟側に導出したから、端子ボックスを収納する端子ボックス収納凹部に雨水等が浸入しても、その水位が端子ボックスとケーブルとの接続部までは届くことが少ない。そのため、前記接続部での腐食や電気的短絡を防止できる。又、以上のように棟側にケーブルを導出したから、導出されたケーブルをケーブル導出部を支点として野地板に沿うように急激に曲げることを要しない。
【００２０】
請求項２の発明は、請求項１に記載の瓦本体の軒側縁部に、前記凹陥部と連通して前記軒側縁部を横切って、前記軒側縁部の上面に開放する溝又は前記軒側縁部を貫通する孔からなる排水部を設けたことを特徴とする。
【００２１】
この発明において、排水部は、１以上あればよく、その大きさは問わないとともに、斜めに設けてもよい。
【００２２】
この請求項２の発明においては、屋根に斜めに敷設される瓦本体の凹陥部に雨水が浸入しても、その雨水を、瓦本体の軒側縁部に形成した排水部に通して凹陥部外に排出できる。この排水により、端子ボックス収納凹部への雨水の入り込みが少なくなって、この収納凹部の水位を下げ易いから、端子ボックスとケーブルとの接続部での腐食や電気的短絡を防止する上で有効である。
又、請求項３の発明は、請求項１に記載の凹陥部の底面に、前記端子ボックス収納凹部を囲むように連続する排水溝と、この排水溝に連続して前記凹陥部の下辺に沿う他の排水溝とを夫々設けるとともに、前記他の排水溝に前記瓦本体の裏面に貫通する排水孔を設けたことを特徴とする。
【００２３】
【発明の実施の形態】
以下、この発明の実施の形態を図面に基づいて説明する。
【００２４】
図１〜図５は第１実施形態を示し、図１は太陽電池モジュール用瓦の分解斜視図、図２は瓦本体の平面図、図３は図２中Ｚ−Ｚ線に沿う断面線で断面した太陽電池モジュール用瓦の断面図、図４は太陽電池モジュール用瓦で葺かれた屋根の一部を示す縦断側面図、図５（ａ）は複数の太陽電池モジュール用瓦間の電気的接続を示す配線図、図５（ｂ）は複数の太陽電池モジュール用瓦間の電気的接続の比較例を示す配線図である。
【００２５】
傾斜した屋根の屋根材として用いられる太陽電池モジュール用瓦Ｋは、図１に示すように瓦本体１及び太陽電池モジュール６を備えている。
【００２６】
図１及び図２に示すように、瓦本体１は、例えばセメントによって略矩形平板状に形成されている。瓦本体１の両側部には左右に隣り合う図示しない同種の太陽電池モジュール用瓦が備える瓦本体１と雄雌関係で嵌合するオーバラップ部１ａ，１ｂが一体に設けられ、下縁部には前垂れ部１ｃが、上縁部表面には後立上り部１ｄが夫々一体に設けられている。図４に示すように前垂れ部１ｃは、屋根の軒側に隣り合って配置される図示しない他の同種の太陽電池モジュール用瓦Ｋが備える瓦本体１の棟側縁部の上面に重ねられる。後立上り部１ｄは、屋根の軒側に隣り合って配置される図示しない他の同種の太陽電池モジュール用瓦が備える瓦本体１の軒側縁部の下面に重ねられる。
【００２７】
瓦本体１の表面には、この本体１の周部を枠状に残して略全面に亘たる矩形状の凹陥部２が設けられている。凹陥部２は後述する太陽電池モジュール６の肉厚より僅かに深く形成されており、この凹陥部２の幅（左右）方向略中央部には矩形状の端子ボックス収納凹部３が陥没して設けられている。
【００２８】
この収納凹部３は瓦本体１の上下（棟軒）方向に延びて形成され、その棟側の側壁３ｂは、端子ボックス収納凹部３の棟軒方向の丁度半分よりも棟側に寄って位置されている。端子ボックス収納凹部３の裏面は瓦本体１の前垂れ部１ｃと略同一高さに形成されていて、瓦本体１を屋根に安定した状態に載置できるようになっている。
【００２９】
前記凹陥部２の底面の周部には凹陥部２の上辺及び両側辺に沿ってコ字状に連続する第１の排水溝４ａが設けられている。凹陥部２の底面の中央部には端子ボックス収納凹部３の上辺及び両側辺に沿ってコ字状に連続する第２の排水溝４ｂが設けられている。凹陥部２の下辺の角部には横方向全長に亘って第３の排水溝４ｃが設けられ、第１及び第２の排水溝４ａ，４ｂは第３の排水溝４ｃに連通している。つまり、第１及び第２の排水溝４ａ，４ｂ内を流れる水は第３の排水溝４ｃに集流するようになっている。
【００３０】
第３の排水溝４ｃの両端部及び第２の排水溝４ｂと第３の排水溝４ｃとの合流部の合計４箇所には、貫通孔としての排水孔５が穿設されている。これら排水孔５は瓦本体１の裏面に貫通している。
【００３１】
前記端子ボックス収納凹部３における側壁で、瓦本体１の上端部側、つまり瓦本体１を屋根の傾斜した野地板１７（図４参照）に敷設したときに棟側に位置する側壁３ｂには、この壁３ｂを貫通する孔からなるケーブル導出部３ａが設けられている。
【００３２】
前述のように構成された瓦本体１の凹陥部２は、太陽電池モジュール６の寸法に適合した大きさに形成され、この凹陥部２には太陽電池モジュール６が収納されている。太陽電池モジュール６は、例えば図２中２点鎖線で示す接着剤９によって瓦本体１の凹陥部２に接着固定されている。接着剤９は、太陽電池モジュール６を全面接着してもよく、図２に示すように複数の互いに独立した箇所で接着してもよい。特に後者のように接着する場合には、万が一、一部の接着剤９にクラックを生じてもそれが離れている他の接着箇所に波及することがないから、太陽電池モジュール６の凹陥部２への取付けの信頼性に優れる。
【００３３】
太陽電池モジュール６には、例えば１枚の透明ガラス基板の裏面に透明電極層、アモルファス半導体層、裏面電極層等を順次積層形成し、更に裏面を封止材により覆って封止した矩形状の薄板パネル構造のものが使用されている。
【００３４】
図３及び図４に示すように、太陽電池モジュール６の裏面には、このモジュール６の幅方向略中央部に位置して端子ボックス７が固定されている。この端子ボックス７の棟側の側面７ａには２本の出力取出しケーブル８ａ，８ｂが接続されている。なお、８ｃは両ケーブル８ａ，８ｂと端子ボックス７との接続部を示している。一方の出力取出しケーブル８ａは正極用であり、他方の出力取出しケーブル８ｂは負極用である。これら２本のケーブル８ａ，８ｂは、いずれも絶縁被覆電線からなる単芯ケーブルであり、配線上において相手に制約されることなく個別に取扱うことができるように互いに独立して設けられている。なお、両ケーブル８ａ，８ｂはその先端にコネクタを有している。
【００３５】
図３に示すように端子ボックス７は瓦本体１の端子ボックス収納凹部３に収納される。この収納状態において、出力取出しケーブル８ａ，８ｂは、急激に曲げられることなく、端子ボックス収納凹部３の棟側側壁３ｂのケーブル導出部３ａを通って、瓦本体１の裏面において棟側に導出されている。
【００３６】
次に、前述のように構成された太陽電池モジュール用瓦Ｋを用いて建物の屋根を施工する、いわゆる瓦葺きについて説明すると、図４に示すように、屋根１６には棟側１６ａから軒側１６ｂに向かって下り勾配に傾斜する野地板１７が設けられており、この野地板１７に直接または瓦下地材を介して太陽電池モジュール用瓦Ｋを載置する。
【００３７】
通常の瓦葺き作業と同様に太陽電池モジュール用瓦Ｋを軒側１６ｂから順次棟側１６ａに向かって野地板１７に載置するが、左右に隣り合う瓦本体１相互は、瓦本体１のオーバラップ部１ａ，１ｂを雄雌関係で嵌合し、瓦本体１の上端部側に設けられた取付け孔１８（図１及び図２参照）に釘を通して野地板１７に固定する。また、棟軒方向に隣合う太陽電池モジュール相互においては、軒側に配置された瓦本体１の後立上り部１ｄの上部に、棟側に隣接する瓦本体１の前垂れ部１ｃをオーバラップさせ、このオーバラップにおいて、棟側の瓦本体１の排水孔５を、軒側に隣接する瓦本体１の後立上り部１ｄより下方（軒側１６ｂ）に位置させる。そして、棟側の瓦本体１も同様に取付け孔１８に瓦固定用釘等を通して野地板１７に固定する。
【００３８】
前述の瓦葺き作業を繰り返して野地板１７上に敷設された多数枚の太陽電池モジュール用瓦Ｋによって屋根１６の大部分を構成することができる。この瓦葺き作業と平行して、隣接する複数枚の太陽電池モジュール６相互を電気的に直列または並列に接続する作業がなされる。この接続作業は、端子ボックス収納凹部３のケーブル導出部３ａから棟側に導出された出力取出しケーブル８ａ，８ｂを用いて行われる。
【００３９】
図５（ａ）に示した配線の一例について説明する。同図中３１は屋内側のインバータに接続されるプラス側幹線、３２は同マイナス側幹線、３３は一対の２線適用型のブッシングを示している。図５（ａ）の例では６枚の太陽電池モジュール６が１つの出力ユニットとなるように、これらモジュール６が直列に接続されている。
【００４０】
そのために、隣接する太陽電池モジュール６同士の正極側出力取出し線８ａと負極側出力取出し線８ｂとを、それらの先端のコネクタを雄雌結合させて、６枚の太陽電池モジュール６を直列接続している。こうして直列接続された出力ユニットの一端の太陽電池モジュール６の正極側出力取出しケーブル８ａを、一方のブッシング３３を介してプラス側幹線３１に接続し、同様に前記出力ユニットの他端の太陽電池モジュール６の負極側出力取出しケーブル８ｂを、他方のブッシング３３を介してマイナス側幹線３２に接続している。
【００４１】
図５（ｂ）は、太陽電池モジュール６の出力取出しケーブル８ａ，８ｂが、本実施形態のように単芯構造ではなく、これら２本のケーブルを合わせて１本の２芯ケーブル８とした場合における６枚の太陽電池モジュール６の配線例を比較のために示している。この図５（ｂ）中３４は３線対応型のブッシングである。
【００４２】
１本の２芯ケーブル８は、そのプラス・マイナスの出力取出しケーブル８ａ，８ｂを個々に単独で取り扱って配線作業をすることはできない。そのため、各太陽電池モジュール６に対応して個々に個別に用意された３線対応型のブッシング３４を用いて、隣接した太陽電池モジュール６相互間の正極と負極との電気的接続が行われる。図５（ｂ）中３５に隣接したブッシング３４同士を直列につないだ電線を示す。こうして各太陽電池モジュール６と対１で使用されるブッシング３４及びこれらブッシング３４間の電線３５を介して直列接続された出力ユニットは、その一端の太陽電池モジュール６の正極側出力取出しケーブル８ａを、前記一端の太陽電池モジュール６用のブッシング３４を介してプラス側幹線３１に接続し、同様に前記出力ユニットの他端の太陽電池モジュール６の負極側出力取出しケーブル８ｂを、前記他端の太陽電池モジュール６用のブッシング３４を介してマイナス側幹線３２に接続している。
【００４３】
以上説明した図５（ａ）と同図（ｂ）との比較により明らかなように、２本の単芯ケーブルをプラス・マイナスの出力取出しケーブル８ａ，８ｂとして用いて配線することは、幹線３１、３２が配線される部分に図５（ｂ）に示す電線３５を用いないで済むとともに、２芯ケーブルとするための絶縁シースも省略できる。しかも、前記出力ユニットに対して一対のブッシング３３を用いるだけでよく、図５（ｂ）に示すように太陽電池モジュール６の数と同数のブッシング３４を要しない。そのため、前記瓦Ｋを用いて葺かれた屋根１６において配線に要する部品点数が少なく、配線構造が簡単である。その上、本実施形態ではブッシング３３に、図５（ｂ）に示す構造が複雑な３線対応型のブッシング３４を要することなく、構造が単純で低コストな２線対応型のものを使用できる。したがって、屋根１６のコストを低減できる。
【００４４】
ところで、以上のように瓦葺きされて屋根１６を構成した本実施形態の瓦Ｋにおいて、瓦本体１の凹陥部２と太陽電池モジュール６との間から浸入した雨水が端子ボックス収納凹部３に流れ込んだ場合には、雨水が端子ボックス収納凹部３の内部に貯留する。
【００４５】
しかし、前記瓦Ｋは棟軒方向に傾斜して屋根１６に敷設されており、端子ボックス収納凹部３のケーブル導出部３ａは、棟側の高所に位置している端子ボックス収納凹部３の側壁３ｂに設けられている。そのため、端子ボックス７と出力取出しケーブル８ａ，８ｂとの接続部８ｃが、端子ボックス収納凹部３に溜まった雨水に晒されて、腐食したり、電気的な短絡事故を起こすおそれが少ない。
【００４６】
又、２本の出力取出しケーブル８ａ，８ｂを前記棟側のケーブル導出部３ａに通して棟側に導出したから、図５（ａ）に示す配線を行う場合に、導出された出力取出しケーブル８ａ，８ｂをケーブル導出部３ａを支点として野地板１７に沿うように急激に曲げることを要しない。
【００４７】
そのため、出力取出しケーブル８ａ，８ｂがケーブル導出部３ａの縁に強く押付けられないようにできる。したがって、セメントで作られた瓦本体１のケーブル導出部３ａの縁にバリが出ていることがあっても、出力取出しケーブル８ａ，８ｂの絶縁被覆が傷つけられることを少なくできる。又、同様の理由から、前記瓦Ｋの梱包においても、ケーブル導出部３ａを支点として出力取出しケーブル８ａ，８ｂを急激に曲げることを要しないので、施工現場への輸送時に作用する振動に拘らず、ケーブル導出部３ａの縁で出力取出しケーブル８ａ，８ｂが傷つけられるおそれを少なくできる。
【００４８】
図６（ａ）（ｂ）は第２実施形態を示し、この第２実施形態において第１実施形態と同一構成部分は同一番号を付して説明を省略する。本実施形態は、図６（ａ）に示すように、瓦本体１に設けられた端子ボックス収納凹部３の側壁にケーブル導出部３ａを設ける手段を以下のように構成した点が第１実施形態とは異なる。
【００４９】
端子ボックス収納凹部３における側壁で、瓦本体１の上端部側、つまり瓦本体１を屋根の野地板に敷設したときに棟側に寄って位置する側壁３ｂに、肉薄部１９を設けたものである。この肉薄部１９を得るには、瓦本体１の端子ボックス収納凹部３を成形する雄型２０の一部に凸部２０ａを設け、この凸部２０ａと雌型２１との間に狭い間隙部を形成すればよい。そして、セメント材料製の瓦本体１を成形した後に、肉薄部１９をハンマー等によって叩打することにより、図６（ｂ）に示すように、肉薄部１９の跡からなるケーブル導出部３ａを開口し、このケーブル導出部３ａから２本の出力取出しケーブル８ａ，８ｂを、急激に曲げることなく、棟側に導出することができる。
【００５０】
図７（ａ）（ｂ）及び図８は本発明の参考例を示し、この参考例において第１実施形態と同一構成部分は同一番号を付して説明を省略する。本参考例の瓦本体１は基本的には第１実施形態と同一であるが、太陽電池モジュール６を収納する凹陥部２における上縁部側、つまり瓦本体１を屋根に敷設した場合に棟側となる部位（棟側縁部）には、端子ボックス７が収納される端子ボックス収納凹部２２が設けられている。
【００５１】
さらに、図７（ａ）に示すように瓦本体１の後立上り部１ｄにはこれを横切って端子ボックス収納凹部２２と連通する凹溝からなるケーブル導出部２３が設けられている。図７（ｂ）に示すように端子ボックス収納凹部２２とケーブル導出部２３は、その底面が同一高さに形成されている。なお、図８中１０は取付け孔１８に通される釘、１１は後立上り部１ｄを覆って設けられる釘受け金具である。
【００５２】
このように構成された瓦本体１によれば、図８に示すように瓦本体１の凹陥部２に太陽電池モジュール６を収納し、端子ボックス７を端子ボックス収納凹部２２に収納することにより、端子ボックス７から導出する出力取出しケーブル８ａ，８ｂを、急激に曲げることなく、ケーブル導出部２３に沿って瓦本体１の上端部方向に、つまり棟側に導出させることができる。
【００５３】
従って、本参考例によれば、瓦本体１の凹陥部２と太陽電池モジュール６との間から浸入した雨水が、端子ボックス収納凹部２２に流れ込んで貯留することがあっても、ケーブル導出部２３が端子ボックス収納凹部２２より高所となるため、端子ボックス７及び出力取出しケーブル８ａ，８ｂの接続部８ｃが、端子ボックス収納凹部２２に溜まった雨水に晒されて、腐食したり、電気的に短絡事故を起こすことを防止できる。
【００５４】
しかも、本参考例によれば、ケーブル導出部２３が上方に開放されている。そのため、太陽電池モジュール６を凹陥部２に収納する場合に、２本の出力取出しケーブル８ａ，８ｂを、ケーブル導出部２３内にその上方から納めることができ、孔に通す面倒がなく、作業性がよい。
【００５５】
図９〜図１１は第３実施形態を示し、この第３実施形態において第１実施形態と同一構成部分は同一番号を付して説明を省略する。第３実施形態の瓦本体１は基本的には第１実施形態と同様であるが、凹陥部２から外部への排水手段を以下のように構成した点が異なっている。
【００５６】
つまり、凹陥部２の底面は、端子ボックス収納凹部３を除いて凹凸がない平坦な面で形成されている。そして、瓦本体１の下縁部、つまり、瓦本体１を傾斜した野地板１７上に敷設した状態で軒側に位置する軒側縁部をなす前垂れ部１ｃには、これを横切る１以上例えば２つの排水部２５が設けられている。両排水部２５は前垂れ部１ｃの表面に開放する溝によって形成されている。これら排水部２５の底面は、瓦本体１の底面と面一に連続しているが、これに制約されずに、瓦本体１の底面に対して一段下がって設けてもよく、又、瓦本体１の底面から斜め下向きに傾斜して設けてもよい。又、両排水部２５は、前垂れ部２５の下端に達するように下向きに曲がって形成されていてもよい。
【００５７】
この第３実施形態の太陽電池モジュール用瓦Ｋにおいても、端子ボックス収納凹部３のケーブル導出部３ａが、棟側の高所に位置している端子ボックス収納凹部３の側壁３ｂに設けられているため、屋根に斜めに敷設された瓦本体１の凹陥部２と太陽電池モジュール６との間から浸入した雨水が、端子ボックス収納凹部２２に流れ込んで貯留することがあっても、端子ボックス収納凹部３に溜まった雨水に、端子ボックス７と出力取出しケーブル８ａ，８ｂとの接続部８ｃが晒されることが少ない。
【００５８】
しかも、瓦本体１の凹陥部２に浸入した雨水を、瓦本体１の前垂れ部１ｃに形成した排水部２５に通して凹陥部２外に円滑に排出できる。この排水により、端子ボックス収納凹部３への雨水の入り込みを少なくして、この収納凹部３の水位を下げ易い。
【００５９】
従って、端子ボックス７と出力取出しケーブル８ａ，８ｂとの接続部での腐食や電気的短絡を有効に防止できる。
【００６０】
又、第３実施形態においても、２本の出力取出しケーブル８ａ，８ｂを棟側のケーブル導出部３ａに通して棟側に導出したから、導出された出力取出しケーブル８ａ，８ｂをケーブル導出部３ａを支点として野地板１７に沿うように急激に曲げることを要しないので、これらケーブル８ａ，８ｂの絶縁被覆が傷つけられるおそれも少ない。
【００６１】
【発明の効果】
以上説明したように、請求項１〜３の発明によれば、瓦本体に設けられたケーブル導出部が、瓦本体を屋根に敷設したときに端子収納ボックスの棟側寄りの側壁に開口して設けられており、このケーブル導出部から太陽電池モジュールの端子ボックスに接続された出力取出しケーブルを棟側に導出している。そのため、端子ボックスを収納する端子ボックス収納凹部に雨水等が浸入しても、その水位が端子ボックス及び出力取出しケーブルの接続部まで達することがない、よって、同接続部での腐食や電気的短絡を防止できる。さらに、出力取出しケーブルを棟側に導出したことにより、このケーブルがケーブル導出部の縁により傷付けられることも防止できる。したがって、高品質な太陽電池モジュール用瓦を提供できる。
【図面の簡単な説明】
【図１】  この発明の第１実施形態を示す太陽電池モジュール用瓦の分解斜視図。
【図２】  同第１実施形態の瓦本体の平面図。
【図３】  図２中Ｚ−Ｚ線に沿う断面線で断面した同第１実施形態の太陽電池モジュール用瓦の断面図。
【図４】  同第１実施形態の太陽電池モジュール用瓦で葺かれた屋根の一部を示す縦断側面図。
【図５】  （ａ）は同第１実施形態に係る複数の太陽電池モジュール用瓦間の電気的接続を示す配線図。
（ｂ）は複数の太陽電池モジュール用瓦間の電気的接続の比較例を示す配線図である。
【図６】  （ａ）はこの発明の第２実施形態の太陽電池モジュール用瓦の製造状況を示す断面図。
（ｂ）は同第２実施形態の太陽電池モジュール用瓦の一部を示す断面図。
【図７】  （ａ）はこの発明の参考例の太陽電池モジュール用瓦の瓦本体を示す斜視図。
（ｂ）は図７（ａ）中Ａ−Ａ線に沿う断面図。
【図８】  同参考例の太陽電池モジュール用瓦で葺かれた屋根の一部を示す縦断側面図。
【図９】  この発明の第３実施形態を示す太陽電池モジュール用瓦の分解斜視図。
【図１０】  同第３実施形態の瓦本体の平面図。
【図１１】  同第３実施形態の太陽電池モジュール用瓦を図１０中Ｙ−Ｙ線に沿う断面線で断面するとともに、この太陽電池モジュール用瓦で葺かれた屋根の一部を示す断面図。
【符号の説明】
１…瓦本体
１ｃ…前垂れ部（軒側縁部）
１ｄ…後立上り部（棟側縁部）
２…凹陥部
３…端子ボックス収納凹部
３ａ…ケーブル導出部
３ｂ…端子ボックス収納凹部の棟側の側壁
４ａ，４ｂ…排水溝
５…排水孔
６…太陽電池モジュール
７…端子ボックス
７ｃ…端子ボックスの棟側の側面
８ａ，８ｂ…出力取出しケーブル
８ｃ…接続部
２５…排水部
【図１】
0004319328.tif 000002
【図２】
0004319328.tif 000003
【図３】
0004319328.tif 000004
【図４】
0004319328.tif 000005
【図５】
0004319328.tif 000006
【図６】
0004319328.tif 000007
【図７】
0004319328.tif 000008
【図８】
0004319328.tif 000009
【図９】
0004319328.tif 000010
【図１０】
0004319328.tif 000011
【図１１】
0004319328.tif 000012